(57)【要約】      （修正有）【課題】中栓本体と、容器の姿勢に従って揺動する揺動部材とを組み合わせることによって、簡単な構成でありながら、ねじ式のキャップ付きの容器にも適用可能であり、容器を倒立させて水平方向に振るだけで、所定数の錠剤を確実に外部に取り出すことができる錠剤容器の中栓を提供する。【解決手段】中栓本体に組み込み、容器の姿勢に従って揺動する揺動部材とを備えてなり、中栓本体は、所定数の錠剤を周方向に転回させながら収納する円弧状の収納部を上面側に形成するとともに、容器内の錠剤を収納部に順次ガイドするスロープを下面側に形成し、揺動部材は、容器を倒立させると、スロープの先端に対向する収納部の一端において、収納部側にのみ揺動可能に垂下してスロープ上の錠剤が収納部に進入することを許容し、容器を正立させても、収納部内に満杯の錠剤を収納部に保持する。【選択図】図１
2008239204.tif 000002
【特許請求の範囲】
【請求項１】
キャップ付きの容器の口部に装着する中栓本体と、該中栓本体に組み込み、容器の姿勢に従って揺動する揺動部材とを備えてなり、前記中栓本体は、所定数の錠剤を周方向に転回させながら収納する円弧状の収納部を上面側に形成するとともに、容器内の錠剤を前記収納部に順次ガイドするスロープを下面側に形成し、前記揺動部材は、容器を倒立させると、前記スロープの先端に対向する前記収納部の一端において、前記収納部側にのみ揺動可能に垂下して前記スロープ上の錠剤が前記収納部に進入することを許容し、容器を正立させても、前記収納部内に満杯の錠剤を前記収納部に保持することを特徴とする錠剤容器の中栓。
【請求項２】
前記中栓本体は、下面側中央部に下向きの円錐部を形成し、前記スロープは、前記円錐部のまわりに円弧状に形成することを特徴とする請求項１記載の錠剤容器の中栓。
【請求項３】
前記中栓本体の上面側には、前記収納部に対する錠剤の収納数を可変する調節板を回転可能に付設することを特徴とする請求項１または請求項２記載の錠剤容器の中栓。
【請求項４】
前記調節板は、透明板により形成することを特徴とする請求項３記載の錠剤容器の中栓。
【発明の詳細な説明】
【技術分野】
【０００１】
この発明は、容器から所定数の錠剤を確実に取り出すことができる錠剤容器の中栓に関する。
【背景技術】
【０００２】
容器に収納されている錠剤を所定数量だけ取り出すために、いわゆる計量形の錠剤容器が提案されている。
【０００３】
たとえば、排出口付きの中栓の上面に計量室を設け、回転操作可能な取出口付きの透明カバーによって計量室の上面を閉じるものが知られている（特許文献１）。透明カバーには、中栓の排出口を開閉する規制部が設けられている。そこで、このものは、中栓の排出口を開いて所定数の錠剤を計量室側に振り出し、透明カバーを回転させて中栓の排出口を閉じた上、透明カバーの取出口から錠剤を外部に取り出すことができる。
【０００４】
また、ヒンジ式のキャップ付きの容器の中栓に揺動体を付設し、キャップの開閉に連動して揺動体を揺動させる形式も知られている（特許文献２、３）。このものは、キャップを閉じて、容器を倒立させて正立させることにより、中栓上の計量皿に所定数の錠剤を自動的に量り取り、キャップを開いて、量り取られた錠剤を外部に取り出すことができる。
【特許文献１】特開２００５−８８９３７号公報
【特許文献２】特開平１１−２０８７０２号公報
【特許文献３】特開平１１−２０８７０３号公報
【発明の開示】
【発明が解決しようとする課題】
【０００５】
かかる従来技術の前者によるときは、錠剤は、中栓の排出口を介して所定数を計量室に排出し、さらに透明カバーの取出口を介して外部に取り出す必要がある上、計量室内の錠剤の数を目で確認するものであるから、使用手順が煩雑であり、高齢者などの患者にとって必ずしも適切でないという問題があった。また、後者によるときは、揺動体をキャップに連動させるから、ヒンジ式のキャップ付きの容器にしか適用できない上、揺動体をキャップに連動させる連動機構が必要であり、全体構成が複雑になるという問題があった。
【０００６】
そこで、この発明の目的は、かかる従来技術の問題に鑑み、中栓本体と、容器の姿勢に従って揺動する揺動部材とを組み合わせることによって、簡単な構成でありながら、ねじ式のキャップ付きの容器にも適用可能であり、容器を倒立させて水平方向に振るだけで、所定数の錠剤を確実に外部に取り出すことができる錠剤容器の中栓を提供することにある。
【課題を解決するための手段】
【０００７】
かかる目的を達成するためのこの発明の構成は、キャップ付きの容器の口部に装着する中栓本体と、中栓本体に組み込み、容器の姿勢に従って揺動する揺動部材とを備えてなり、中栓本体は、所定数の錠剤を周方向に転回させながら収納する円弧状の収納部を上面側に形成するとともに、容器内の錠剤を収納部に順次ガイドするスロープを下面側に形成し、揺動部材は、容器を倒立させると、スロープの先端に対向する収納部の一端において、収納部側にのみ揺動可能に垂下してスロープ上の錠剤が収納部に進入することを許容し、容器を正立させても、収納部内に満杯の錠剤を収納部に保持することをその要旨とする。
【０００８】
なお、中栓本体は、下面側中央部に下向きの円錐部を形成し、スロープは、円錐部のまわりに円弧状に形成することができる。
【０００９】
また、中栓本体の上面側には、収納部に対する錠剤の収納数を可変する調節板を回転可能に付設することができ、調節板は、透明板により形成することができる。
【発明の効果】
【００１０】
かかる発明の構成によるときは、中栓本体の上面側に形成する収納部は、所定数の錠剤を周方向に転回させながら、径方向に立てて収納することができ、中栓本体の下面側に形成するスロープは、容器内の錠剤を収納部に順次ガイドする。また、揺動部材は、容器を倒立させると、収納部の一端において収納部側にのみ揺動可能に垂下し、錠剤を収納部に進入させ、収納部からの脱出を阻止する。そこで、キャップを閉じて容器を倒立させた上、容器を水平方向に軽く振ると、容器内の錠剤は、スロープを介して収納部内に進入し、満杯になるまで収納されるから、その後、容器を正立させてキャップを開けば、収納部内の所定数の錠剤を外部に取り出すことができる。揺動部材は、容器を正立させても、収納部内の満杯の錠剤を収納部に保持し、収納部内の錠剤が容器内に脱落することを阻止するからである。
【００１１】
なお、錠剤は、平面視円形であって、スロープは、錠剤を周方向に転回させながら整列させ、収納部に順次ガイドして進入させるものとする。ただし、収納部、スロープは、それぞれ円筒状の中栓本体の周縁に沿って円弧状に形成し、それぞれの幅は、錠剤の最大厚さより大きく、錠剤の最大径より小さく設定する。また、スロープの先端は、収納部の一端に対向するようにして連通させるものとする。
【００１２】
中栓本体の下面側中央部に下向きの円錐部を形成すれば、容器を倒立させることにより、円錐部を介して容器内の錠剤を円滑にスロープに投入することができる。スロープは、円錐部のまわりに円弧状に形成されているからである。
【００１３】
中栓本体の上面側に付設する調節板は、収納部に対する錠剤の収納数を可変することにより、外部に取り出す錠剤の個数を１〜ｎ個に調節することができる。ただし、ｎは、収納部に収納し得る錠剤の最大個数である。なお、調節板を透明板とすれば、調節板を透して中栓本体の上面側の全体を観察することができ、錠剤の取出し個数の調節設定や、外部に取り出される収納部内の錠剤の確認が容易である。
【発明を実施するための最良の形態】
【００１４】
以下、図面を以って発明の実施の形態を説明する。
【００１５】
錠剤容器の中栓は、容器３０の口部３１に装着する中栓本体１０と、中栓本体１０に組み込む揺動部材２０とを備えてなる（図１、図２）。ただし、図２（Ａ）、（Ｂ）は、それぞれ使用状態を示す模式断面図、同図（Ａ）の要部拡大図である。
【００１６】
容器３０は、錠剤Ｔ、Ｔ…を収納する錠剤容器である。中栓本体１０は、容器３０の広口の口部３１に圧入するようにして装着されており、口部３１の外周には、雄ねじ３２が形成されている。また、口部３１には、雄ねじ３２に適合する雌ねじ３３ａ付きのねじ式のキャップ３３が装着されており、キャップ３３の天面には、シールパッキン３４が装着されている。
【００１７】
中栓本体１０は、上面側の周縁部に沿って、錠剤Ｔ用の円弧状の収納部１１を形成する円筒部材である（図１、図３）。ただし、図３（Ａ）、（Ｂ）は、それぞれ中栓本体１０の上面図、斜め下側からの斜視図である。
【００１８】
中栓本体１０の上面側中央部には、上向きに開口する有底の円筒部１２が形成されており、円筒部１２のまわりには、径方向の仕切壁１３ａを介し、円弧状の収納部１１、溝１３が形成されている。なお、溝１３の底面は、仕切壁１３ａに向けて低く傾斜しており、仕切壁１３ａと反対側は、円筒部１２の上端と同一レベルになっている。また、中栓本体１０の上端には、容器３０の口部３１の上端面と同径の外フランジ１４が形成されており（図２（Ａ））、外フランジ１４の内側には、段部１４ａが形成されている（図１）。
【００１９】
収納部１１の幅ａ、深さｂは、錠剤Ｔの最大径ｄ、最大厚さｔとして、ｔ＜ａ＜ｄ、ｂ＞ｄに設定されている。そこで、収納部１１には、所定数ｎ個の錠剤Ｔ、Ｔ…を周方向に転回させながら、径方向に立てて収納することができる。
【００２０】
中栓本体１０の外周は、容器３０の口部３１に圧入し易いように、中間部において小径に絞り、下向きに僅かにテーパ状に仕上げられている（図１、図３（Ｂ））。中栓本体１０の下面側には、上面側の溝１３の底面の傾斜面に対応するようにして、円弧状のスロープ１５が形成されている。なお、スロープ１５は、収納部１１の幅ａと同幅に形成されており、スロープ１５の先端は、収納部１１の一端に対向して連通している。また、円筒部１２の底面は、中栓本体１０の下面側に突出する円錐部１６として形成されている。すなわち、スロープ１５は、中栓本体１０の中央部の円錐部１６のまわりに形成されており、円錐部１６のまわりのスロープ１５以外の部分は、中栓本体１０の上下に連通する空間部１７を除き、収納部１１の底面を支持する円弧状のリブ１８、１８が形成されている（図３（Ｂ））。ただし、リブ１８、１８の一端は、仕切壁１８ａを介して連結されている。
【００２１】
スロープ１５に対向する側の収納部１１の一端には、仕切壁１８ａを介して、スロープ１５に向けて棚板１９が突設されている（図１、図３（Ｂ））。棚板１９の上面は、収納部１１の底面より下がっており、棚板１９の先端部下面は、斜めに切り上げられている。
【００２２】
揺動部材２０は、異形断面の頭部２１の両端に左右一対の取付脚２２、２２を平行に突設して形成されている（図１、図２（Ｂ））。各取付脚２２には、前方に開口する取付溝２２ａ、２２ａが形成されている。そこで、揺動部材２０は、棚板１９の前方に左右から一直線上に突設する支持ピン２３、２３を取付溝２２ａ、２２ａに嵌め込むことにより、支持ピン２３、２３のまわりに揺動自在に組み付けられている。揺動部材２０は、頭部２１の重量に基づく回転モーメントにより、容器３０の姿勢に従って揺動可能であり、容器３０を正立させると、頭部２１を棚板１９上に着座させて静止する。
【００２３】
中栓本体１０の上面側には、調節板４０が回転可能に付設されている（図１、図２（Ａ））。
【００２４】
調節板４０は、中栓本体１０の段部１４ａに適合する薄い透明板である。調節板４０には、収納部１１に対応する錠剤Ｔの振出口４１が形成され、回転操作用の指掛け部４２が設けられている。振出口４１は、収納部１１より短い円弧状に形成され、振出口４１の一端には、収納部１１の終端の仕切壁１３ａに対応するストッパ片４１ａが下向きに突設されている。また、指掛け部４２は、調節板４０の径方向にＵ字状に開口されている。そこで、調節板４０を中栓本体１０の上面側に装着して回転させると、ストッパ片４１ａを介して収納部１１の有効長さを調節し、収納部１１に対する錠剤Ｔの収納数を可変することができる。
【００２５】
かかる錠剤容器の中栓の使用方法は、次のとおりである。
【００２６】
容器３０に錠剤Ｔ、Ｔ…を収納し（図２（Ａ））、キャップ３３を装着して容器３０を倒立させると（図４（Ａ））、揺動部材２０は、頭部２１が棚板１９から離れ、スロープ１５の先端に対向する収納部１１の一端において下向きに垂下する（同図（Ｂ））。ただし、このときの揺動部材２０は、各取付脚２２の背面側が棚板１９の先端に当接するため（図４（Ｂ）の二点鎖線）、収納部１１側にのみ揺動可能であり、スロープ１５側に揺動することができない。すなわち、揺動部材２０は、スロープ１５上の錠剤Ｔが収納部１１に進入することを許容し、錠剤Ｔが収納部１１から流出することを阻止している。
【００２７】
そこで、容器３０を倒立させたまま軽く水平方向に振ると、円錐部１６を介してスロープ１５内に落下する容器３０内の錠剤Ｔ、Ｔ…は、スロープ１５上を周方向に転回しながら整列した上（図４（Ａ））、収納部１１に順次ガイドされ、周方向に転回しながら収納部１１に収納される。スロープ１５の幅は、収納部１１の幅ａと同じく、錠剤Ｔの最大径ｄより小さいからである。なお、錠剤Ｔは、容器３０を数回水平方向に振ることにより、収納部１１に所定数ｎ個を確実に満杯に収納することができる。
【００２８】
つづいて、容器３０を正立させると（図５）、揺動部材２０は、収納部１１内に満杯に収納されている錠剤Ｔ、Ｔ…により頭部２１が棚板１９上に復帰することが妨げられ、収納部１１内の錠剤Ｔ、Ｔ…をそのまま保持することができる。また、スロープ１５上の余分の錠剤Ｔ、Ｔ…は、容器３０の底部に落下する。そこで、キャップ３３を外し、収納部１１が下側となるように容器３０を傾けると（図６）、調節板４０の振出口４１を介して、収納部１１内の錠剤Ｔ、Ｔ…だけを外部に正しく取り出すことができる。また、このとき、スロープ１５上には、錠剤Ｔが存在しないため、余分の錠剤Ｔが外部に排出されるおそれがない。
【００２９】
以上の操作を繰り返せば、錠剤Ｔ、Ｔ…を収納部１１内の所定数ｎ個ずつ外部に取り出すことができる。また、所定数の錠剤Ｔ、Ｔ…を取り出したら、キャップ３３を再装着して保管すればよい。
【００３０】
なお、図６において、６個の錠剤Ｔ、Ｔ…を取り出す場合が図示されているが、このときの収納部１１は、調節板４０のストッパ片４１ａを仕切壁１３ａに当接させることにより、所定数ｎ＝６個の錠剤Ｔ、Ｔ…を満杯に収納することができる（図７（Ａ））。そこで、指掛け部４２に指先を掛けて調節板４０を回転させ、ストッパ片４１ａを介して収納部１１の実効長さを短くすることにより、所定数ｎ＝１個の錠剤Ｔにより収納部１１が満杯になるように設定すれば（同図（Ｂ））、錠剤Ｔを１個ずつ取り出すことができる。同様に、調節板４０を介して収納部１１の実効長さを適切に設定し、錠剤Ｔを１〜６個の任意個数ずつ取り出すことも可能である。また、収納部１１に収納する錠剤Ｔ、Ｔ…の所定数ｎ個をｎ≧２の任意に設定することにより、調節板４０を介して、錠剤Ｔを１〜ｎ個ずつ取り出すことができる。
【他の実施の形態】
【００３１】
中栓本体１０の上面側の円筒部１２には、乾燥剤Ｄを装着することができる（図３（Ａ）の二点鎖線）。ただし、このとき、円筒部１２の底面を形成する円錐部１６には、微細な丸孔またはスリット状の通気孔を設けるものとする。また、中栓本体１０の下面側のリブ１８、１８を削除し、収納部１１の底面の下部を乾燥剤Ｄの収納スペースとしてもよい。乾燥剤Ｄは、容器３０内を乾燥させ、過大な湿気による錠剤Ｔ、Ｔ…の劣化を防止する。
【００３２】
また、調節板４０は、外部に取り出す錠剤Ｔの個数が一定数でよいときは、これを省略してもよい。
【００３３】
以上の説明において、中栓本体１０、揺動部材２０は、それぞれプラスチック材料により一体成形することが好ましい。また、キャップ３３は、ねじ式に代えて、容器３０と一体のヒンジ式であってもよい。さらに、揺動部材２０の回転中心となる支持ピン２３、２３は、中栓本体１０と一体成形する他、中栓本体１０の外周側、円筒部１２の内周側から打ち込む別部材としてもよく、プラスチック材であってもよく、金属製であってもよい。
【図面の簡単な説明】
【００３４】
【図１】全体分解斜視図
【図２】使用状態を示す全体構成説明図
【図３】中栓本体の構成説明図
【図４】使用手順説明図（１）
【図５】使用手順説明図（２）
【図６】使用手順説明図（３）
【図７】動作状態説明図
【符号の説明】
【００３５】
Ｔ…錠剤
１０…中栓本体
１１…収納部
１５…スロープ
１６…円錐部
２０…揺動部材
３０…容器
３１…口部
３３…キャップ
４０…調節板
特許出願人          伸晃化学株式会社
代理人  弁理士        松  田  忠  秋
【図１】
2008239204.tif 000003
【図２】
2008239204.tif 000004
【図３】
2008239204.tif 000005
【図４】
2008239204.tif 000006
【図５】
2008239204.tif 000007
【図６】
2008239204.tif 000008
【図７】
2008239204.tif 000009